(57)【要約】【課題】  洗浄剤の容器をチップ状の原料に加工することで再利用できるようにしている現状のリサイクル形態ではなく、容器そのものを再利用できるようにして、詰め替え容器の処分も必要がなく、真に環境に優しいリサイクルを行うことができる洗浄剤の供給システムを提供する。【解決手段】  供給元１において洗浄剤を一般的な消費者が使用できる程度の収容量を有する容器（詰込済み容器ａ）に詰め、同容器に詰めた洗浄剤を所定の契約内容に基づいて同契約を結んでいる各消費者２（消費者Ａ、消費者Ｂ、消費者Ｋ）に供給し、同消費者２（消費者Ａ、消費者Ｂ、消費者Ｋ）において洗浄剤の消費が終わり空となった容器（空容器ｂ）を供給元１に回収するとともに、同容器を洗浄剤の供給容器として再利用するように構成した。【選択図】  図１
2008303342.tif 000002
【特許請求の範囲】
【請求項１】
供給元において洗浄剤を一般的な消費者が使用できる程度の収容量を有する容器に詰め、同容器に詰めた洗浄剤を所定の契約内容に基づいて同契約を結んでいる消費者に供給し、同消費者において洗浄剤の消費が終わり空となった容器を供給元に回収するとともに、同容器を洗浄剤の供給容器として再利用するようにした洗浄剤の供給システム。
【請求項２】
前記容器を回収した際、少なくとも水素イオン濃度の検査を行ってから再利用する請求項１に記載の洗浄剤の供給システム。
【請求項３】
前記水素イオン濃度をリトマス試験紙によって測定する請求項２に記載の洗浄剤の供給システム。
【請求項４】
前記洗浄剤を、衣類を洗濯する際に用いる洗濯用洗剤、食器類を洗浄する際に用いる台所用洗剤等の一般家庭で用いる家庭用洗浄剤とした請求項１に記載の洗浄剤の供給システム。
【請求項５】
前記洗浄剤の供給を、定期的に供給するようにした請求項１に記載の洗浄剤の供給システム。
【発明の詳細な説明】
【技術分野】
【０００１】
本発明は、一般家庭における洗濯や台所等に用いる洗浄剤の供給システムに関し、より詳しくは、温室効果ガスの発生を低減できるよう環境に配慮した洗浄剤の供給システムに関する。
【背景技術】
【０００２】
今日、リサイクルの定着によって多くのリサイクルに関する提案がされていて（例えば、特許文献１参照）、その中でも消費者に馴染み深いリサイクルといえば、自治体が主として行っている分別回収が上げられる。
【０００３】
そして、この分別回収に出るものの一つに、家庭内においてほぼ毎日行われる洗濯や食器洗いに用いる洗浄剤を収容する樹脂製の容器がある。
【０００４】
また、この容器がリサイクルされるまでの流れとしては、洗浄剤の製造元において容器に洗浄剤が詰められ、同洗浄剤を詰めた容器が流通業者を介して販売業者に輸送されるとともに、同販売業者を介して主婦等の消費者に販売される。
【０００５】
そして、洗浄剤が詰められた容器を主婦等の消費者が購入し、所定の期間、容器から必要な量の洗浄剤を小出しにしながら消費して、消費し終わり容器が空となると、同容器は、指定された日時に資源ゴミとして自治体の分別回収場所に廃棄される。
【０００６】
回収場所に廃棄された容器は、自治体や指定業者等によって回収されるとともに、例えば破砕等の処理が行われてチップ状の原料となり、同原料を成型業者等が購入して再利用している。
【０００７】
しかしながら、前記回収した容器を大なるエネルギーとともに、手間を掛けて再利用可能なチップ状の原料に加工しても、現状、同原料が過剰供給気味であることから再利用されずに焼却処分される場合もあって、しかも焼却処分の際には温室効果ガスが発生し、環境に優しいリサイクルが返って環境を悪化させる恐れが大にあった。
【０００８】
なお、詰め替え用の洗浄剤なども広く販売されるようになってきてはいるが、詰め替え用の洗浄剤を入れる容器は再利用されることなく廃棄処理されるので、資源としての再利用の観点からは根本的な解決手段とはなっていない。
【０００９】
【特許文献１】特開２００７−７９６６２号公報（第１〜１２頁、図１〜４）
【発明の開示】
【発明が解決しようとする課題】
【００１０】
本発明は、洗浄剤の容器をチップ状の原料に加工することで再利用できるようにしている現状のリサイクル形態ではなく、容器そのものを再利用できるようにして、詰め替え容器の処分も必要がなく、真に環境に優しいリサイクルを行うことができる洗浄剤の供給システムを提供できるようにした。
【課題を解決するための手段】
【００１１】
上述した課題を解決するために、本発明に係る洗浄剤の供給システムは、供給元において洗浄剤を一般的な消費者が使用できる程度の収容量を有する容器に詰め、同容器に詰めた洗浄剤を所定の契約内容に基づいて同契約を結んでいる消費者に供給し、同消費者において洗浄剤の消費が終わり空となった容器を供給元に回収するとともに、同容器を洗浄剤の供給容器として再利用するようにしてある。
【００１２】
また前記容器を回収した際、少なくとも水素イオン濃度をリトマス試験紙による検査を行ってから再利用するようにしてある。
【００１３】
さらに前記洗浄剤を、衣類を洗濯する際に用いる洗濯用洗剤、食器類を洗浄する際に用いる台所用洗剤等の一般家庭で用いる家庭用洗浄剤としてあり、また前記洗浄剤の供給を、定期的に供給するようにしてある。
【発明の効果】
【００１４】
本発明の洗浄剤の供給システムによれば、洗浄剤を消費し終わって空となった容器を回収して、同容器を、新たに洗浄剤を詰める容器として使用するので、従来のように、大なるエネルギーと手間を掛けても焼却処分されるなど、無駄で、しかも温室効果ガスの発生もあるようなリサイクル形態とは異なり、容器を長期に渡り引き続き使用できるので、真に環境に優しいリサイクルを行うことができる。
【００１５】
また、洗浄剤を詰める容器も必要な数を製造しておいて、容器が必要となった際に必要数を製造すればよいので、常に容器を製造し続けている現状と比して、容器製造の際に排出される温室効果ガスの排出量を大に低減できる。
【発明を実施するための最良の形態】
【００１６】
以下、本発明の洗浄剤の供給システムを添付図面に基づいて説明する。
本洗浄剤の供給システムは、供給元１が各消費者２（消費者Ａ、消費者Ｂ、消費者Ｋ）に対して容器（詰込済み容器ａ）に詰めた洗浄剤を供給する。
【００１７】
そして、各消費者２（消費者Ａ、消費者Ｂ、消費者Ｋ）において洗浄剤の消費が終わり空となった容器（空容器ｂ）を供給元１に回収し、また同容器（空容器ｂ）に洗浄剤を詰めて各消費者２に同洗浄剤を供給するようにしている。
【００１８】
前記供給元１に回収した空容器ｂは、検査部３にて空容器ｂの目視検査とともに、空容器ｂ内に検査用の水を入れ同水の水素イオン濃度をリトマス試験紙４で検査していて、回収した空容器ｂが再使用できるかどうかを判別している。
【００１９】
かくすることにより、空容器の再使用の際に不純物の混入の有無を簡単に行うことができ、使用済み容器の洗浄というような水質汚染の遠因ともなり得る作業を可能な限り抑えることができるというメリットもある。
【００２０】
次に、同検査部３での検査に合格した空容器ｂを詰込み部５に搬送し、同詰込み部５にて保管タンク６内に大量貯蔵している洗浄剤を空容器ｂ内に詰め込んでいる。
【００２１】
そして、洗浄剤を詰めた容器（詰込済み容器ａ）は供給部７で一時保管するとともに、各消費者２（消費者Ａ、消費者Ｂ、消費者Ｋ）に対して容器（詰込済み容器ａ）に詰めた洗浄剤を供給するようにしている。
【００２２】
また、洗浄剤の供給は契約内容に基づいて行うようにしていて、図２に示すように、供給日、供給本数、回収数等を取り決めて行っている。
【００２３】
そして、供給する洗浄剤は、衣類を洗濯する際に用いる洗濯用洗剤とする場合や、食器類を洗浄する際に用いる台所用洗剤とする場合もあり、その他にも、トイレ用洗剤、カビ取り剤、掃除用洗剤等のような一般家庭で用いられる洗浄剤を供給する場合もある。
【００２４】
洗浄剤の供給は、基本的には月１回程度の配達日を決めて定期的に供給するようにしているが、月２回や隔月等の供給をする場合もあり、また、本供給システムはパソコン８によって管理してあって、消費者ごとに消費量を把握して、長期に渡る供給予測をすることができるようになっている。
【図面の簡単な説明】
【００２５】
【図１】本発明に係る洗浄剤の供給システムにおけるシステム構成を示す図。
【図２】契約内容を元にまとめられた供給仕様票の一例を示す図。
【符号の説明】
【００２６】
１  供給元
２  消費者
３  検査部
４  リトマス試験紙
５  詰込み部
６  保管タンク
７  供給部
８  パソコン
ａ  詰込済み容器
ｂ  空容器
【図１】
2008303342.tif 000003
【図２】
2008303342.tif 000004